(57)【要約】      （修正有）【課題】パイプサポートを使用することなく梁底型枠を立て込むことができて材料運搬の省力化が可能になる梁底型枠受け具および梁底型枠受け具の設置構造を提供する。【解決手段】コンクリート梁構築用の梁型枠１を受けるための梁底型枠受け具Ａであって、コンクリート壁構築用壁型枠の外側に配置される受け具本体Ａ１と、壁型枠４の天端に引っ掛けて受け具本体を保持するための引っ掛け部Ａ３と、受け具本体の上端に設けられる梁底型枠２の載置部とを備えている梁底型枠受け具。前記梁底型枠受具を、床の上に配置された壁型枠の天端に引っ掛けることにより壁型枠の外側に配置し、梁底型枠受具の上に梁底型枠および梁側型枠を配置することを特徴として梁底型枠受け具の設置構造とする。【選択図】図２
0003182059.tif 000002
【実用新案登録請求の範囲】
【請求項１】
コンクリート梁構築用の梁型枠を受けるための梁底型枠受け具であって、
コンクリート壁構築用壁型枠の外側に配置される受け具本体と、壁型枠の天端に引っ掛けて受け具本体を保持するための引っ掛け部と、受け具本体の上端に設けられる梁底型枠の載置部とを備えていることを特徴とする梁底型枠受け具。
【請求項２】
受け具本体は、載置部を構成する鋼板製水平材と、壁型枠に沿って配置される鋼板製垂直材と、鋼板製斜材とを溶接により連結して三角形状に形成され、
引っ掛け部に受け具本体の垂直材を蝶番で連結することにより、受け具本体が内側に回転自在となるように構成されていることを特徴とする請求項１に記載の梁底型枠受け具。
【請求項３】
請求項１または請求項２に記載の梁底型枠受具を、床の上に配置された壁型枠の天端に引っ掛けることにより壁型枠の外側に配置し、梁底型枠受具の上に梁底型枠および梁側型枠を配置することを特徴とする梁底型枠受け具の設置構造。
【考案の詳細な説明】
【技術分野】
【０００１】
本考案は、壁付梁の施工に用いられる梁底型枠受け具および梁底型枠受け具の設置構造に関するものである。
【背景技術】
【０００２】
壁付梁は、床上に壁型枠板を組み立てた後その上に梁底部型枠板と梁側部型枠板とを組み立て、これらの壁型枠と梁型枠の内部にコンクリートを打設して壁と梁とを一体に形成される。
【０００３】
図３は、壁付梁の支保工を示す図である。図３に示すように、壁付梁の支保工は、梁型枠１の梁底型枠２を立て込む時に、梁底型枠２をパイプサポート３で支えるようにしていた（例えば、特許文献１）。なお、図３中の符号４は壁型枠であり、Ｃ１はコンクリート壁、Ｃ２はコンクリート梁、Ｆは床面である。
【先行技術文献】
【特許文献】
【０００４】
【特許文献１】特開２００４―８４２５６号公報
【考案の概要】
【考案が解決しようとする課題】
【０００５】
しかしながら、梁底型枠の水平方向および垂直方向の調整が必要となる。しかも、パイプサポートの重量は１０〜１５ｋｇであり、また、９０〜１２０ｃｍ程度のピッチで梁底型枠を支えなければならないため、梁底型枠の立て込み個所までのパイプサポートの運搬作業や、施工後の解体作業および搬出作業は、作業者にとって大きな負担になるという問題があった。
【０００６】
また、壁付梁の高さに応じた長さのパイプサポートが必要になり、建物の高さによっては、転用が不可能であり、パイプサポートの入れ替えが必要になる。さらに、高層のマンションなどの建築現場では、パイプサポートの移動が不便になり、重労働になるという問題があった。
【０００７】
そこで、本願考案が解決しようとする第１の課題は、パイプサポートを使用することなく梁底型枠を立て込むことができて材料運搬の省力化が可能になる梁底型枠受け具および梁底型枠受け具の設置構造を提供することである。
【０００８】
本願考案が解決しようとする第２の課題は、梁底型枠の設置が容易になって立て込み時間が短縮化でき、しかも正確に立て込むことができる梁底型枠受け具および梁底型枠受け具の設置構造を提供することである。
【０００９】
本願考案が解決しようとする第３の課題は、梁底型枠を安全に支持できる梁底型枠受け具および梁底型枠受け具の設置構造を提供することである。
【００１０】
本願考案が解決しようとする第４の課題は、梁底型枠受け具を安定的に配置することができることにより、梁底型枠受け具の上での梁型枠の設置を安全に行うことができる梁底型枠受け具および梁底型枠受け具の設置構造を提供することである。
【課題を解決するための手段】
【００１１】
本願考案者は、上記のように、従来技術が有する各種の問題点に鑑み、鋭意検討を重ねて梁底型枠受け具および梁底型枠受け具の設置構造を完成させたものである。
＊＊＊＊＊＊＊＊＊＊＊＊＊＊＊＊＊＊＊＊＊＊＊＊＊＊＊＊＊＊＊＊＊＊＊＊＊＊＊＊
本願の明細書、実用新案登録請求の範囲等に記載の用語についての解釈上の疑義を解消すべく、以下本願明細書、実用新案登録請求の範囲等に記載する用語の説明を行うこととする。
＜用語の説明＞
●「壁付梁」とは、壁部分に梁の一部分が重なって収まる場合の梁のことをいう。
●「型枠」とは、所定の形状寸法のコンクリート構造物をつくるために枠材を組み合わせて構成されるものであり、木材、合板、鋼材などで形成される。
＊＊＊＊＊＊＊＊＊＊＊＊＊＊＊＊＊＊＊＊＊＊＊＊＊＊＊＊＊＊＊＊＊＊＊＊＊＊＊＊
【００１２】
課題を解決するための手段（第１考案〜第３考案）は、本願、実用新案登録請求の範囲の各請求項に記載の考案であり、具体的には、
第１考案は、請求項１に記載の考案であり、
第２考案は、請求項２に記載の考案であり、
第３考案は、請求項３に記載の考案である。
具体的な課題を解決するための手段は、以下の通りである。
【００１３】
請求項１に記載の考案は、
コンクリート梁構築用の梁型枠を受けるための梁底型枠受け具であって、
コンクリート壁構築用壁型枠の外側に配置される受け具本体と、壁型枠の天端に引っ掛けて受け具本体を保持するための引っ掛け部と、受け具本体の上端に設けられる梁底型枠の載置部とを備えていることを特徴とする梁底型枠受け具である。
【００１４】
請求項２に記載の考案は、
受け具本体は、載置部を構成する鋼板製水平材と、壁型枠に沿って配置される鋼板製垂直材と、鋼板製斜材とを溶接により連結して三角形状に形成され、
引っ掛け部に受け具本体の垂直材を蝶番で連結することにより、受け具本体が内側に回転自在となるように構成されていることを特徴とする請求項１に記載の梁底型枠受け具である。
【００１５】
請求項３に記載の考案は、
請求項１または請求項２に記載の梁底型枠受具を、床の上に配置された壁型枠の天端に引っ掛けることにより壁型枠の外側に配置し、梁底型枠受具の上に梁底型枠および梁側型枠を配置することを特徴とする梁底型枠受け具の設置構造である。
【考案の効果】
【００１６】
本願考案に係る、梁底型枠受け具は、上記のような特徴的構成要件から構成され、特徴的構成要件に応じた、以下のような本願考案特有の効果を奏する。また、上記のような特徴的構成要件から構成されたおよび梁底型枠受け具の設置構造によれば、本願考案の課題を十分解消することができた。
【００１７】
すなわち、第１および第３の考案によれば、
「コンクリート壁構築用壁型枠の外側に配置される受け具本体と、壁型枠の天端に引っ掛けて受け具本体を保持するための引っ掛け部と、受け具本体の上端に設けられる梁底型枠の載置部とを備えている」という特徴的構成要件により、パイプサポートを使用することなく梁底型枠を立て込むことができて材料運搬の省力化が可能になるという、第１の課題を解決することができた。
【００１８】
また、壁型枠の天端に梁底型枠受け具を引っ掛けることにより梁底型枠を設置できるため、壁型枠に簡単にセットすることができる。このため、梁底型枠の設置が容易になって立て込み時間が短縮化でき、しかも正確に立て込むことができるという、第２の課題も解決することができた。
【００１９】
また、第２および第３の考案によれば、「受け具本体は、載置部を構成する鋼板製水平材と、壁型枠に沿って配置される鋼板製垂直材と、鋼板製斜材とを溶接により連結して三角形状に形成される」という特徴的構成要件により、溶接部分をピン接合と考えることにより、受け具本体に曲げ力が作用せず、梁底型枠を安全に支持できるという、第３の課題も解決することができた。
【００２０】
また、第２および第３の考案によれば、「引っ掛け部に受け具本体の垂直材を蝶番で連結することにより、受け具本体が内側に回転自在となるように構成されている」という特徴的構成要件により、受け具本体が壁型枠の外側面から浮き上がらずに壁型枠の外側面に確実に接触させることができる。このため、梁底型枠受け具を安定的に配置することができることにより、梁底型枠受け具の上での梁型枠の設置を安全に行うことができるという、第４の課題を解決することができた。
【図面の簡単な説明】
【００２１】
【図１】（ａ）は本考案の実施の形態の梁底型枠受け具を示す正面図、（ｂ）は同梁底型枠受け具の側面図、（ｃ）は同梁底型枠受け具の平面図である。
【図２】本考案の実施の形態の梁底型枠受け具の設置構造を示す図である。
【図３】壁付梁の支保持工を示す図である。
【考案を実施するための形態】
【００２２】
以下、本考案を実施の形態に基づき図面を参照しつつ説明する。
【００２３】
図１において（ａ）は本実施の形態の梁底型枠受け具を示す正面図、（ｂ）は同梁底型枠受け具の側面図、（ｃ）は同梁底型枠受け具の平面図である。
【００２４】
（１）梁底型枠受け具
図１に示すように、梁底型枠受け具Ａは、コンクリート壁構築用壁型枠の外側に配置される受け具本体Ａ１と、壁型枠４の天端に引っ掛けて受け具本体Ａ１を保持するためのＬ字状の引っ掛け部Ａ３とを備えている。
【００２５】
受け具本体Ａ１は、水平材Ａ１１と、壁型枠４に沿って配置される垂直材Ａ１２と、斜材Ａ１３とを溶接により連結して三角形状に形成されている。また、水平材Ａ１１、垂直材Ａ１２および斜材Ａ１３はウエッブとフランジからなるＴ字型鋼から形成されている。
【００２６】
そして、水平材Ａ１１は梁型枠１の底型枠２の載置部として機能する。また、垂直材Ａ１２のウエッブの上端は上方に延設されており、垂直材Ａ１２のウエッブの上端と引っ掛け部Ａ３とは蝶番Ａ２で連結することにより、受け具本体Ａ１が内側（壁型枠４の方向）に回転自在となるように構成されている。
【００２７】
（２）梁底型枠受け具の設置構造
図２は、本実施の形態の梁底型枠受け具の設置構造を示す図である。
【００２８】
本実施の形態の梁底型枠受け具は、下記の型枠の施工工程において設置される。
（ａ）壁型枠の立て込み工程
本工程では、従来と同様にして壁型枠４の立て込みが行われる。
【００２９】
（ｂ）梁底型枠受け具の取り付け工程
図２に示すように、本工程では、梁底型枠受け具Ａの引っ掛け部Ａ３を壁型枠４の天端に引っ掛けることにより、壁型枠４の外側に梁底型枠受具Ａの受け具本体Ａ１を沿わせる。
【００３０】
（ｃ）梁型枠の梁底型の立て込み工程
図２に示すように、本工程では、梁底型枠受具Ａの受け具本体Ａ１の水平材Ａ１１の上に梁底型枠２を載置する。
【００３１】
また、壁型枠４の外側面と梁底型枠受具Ａの受け具本体Ａ１の垂直材Ａ１２との間に僅かに隙間が空いている場合であっても、受け具本体Ａ１の水平材Ａ１１の上に梁底型枠２を載置することにより、受け具本体Ａ１が僅かに回転して壁型枠４の外側面に受け具本体Ａ１の垂直材Ａ１２が接触する。これにより、梁底型枠受具Ａを安定させることができる。
【００３２】
（ｄ）梁型枠の梁側型枠の立て込み工程
本工程では、従来と同様にして梁側型枠２Ａの立て込みが行われる。
【００３３】
（ｄ）コンクリートの打設
従来と同様に、型枠内にコンクリートの打設が行われる。このとき、梁底型枠受具Ａによって梁型枠１を保持することができる。
【００３４】
（ｅ）型枠の解体
打設したコンクリートが硬化した後は、梁型枠１および壁型枠４を解体し、梁底型枠受具Ａを取り外す。
【００３５】
以上、本考案を実施の形態に基づいて説明したが、本考案と均等の範囲内において、変更することができる。
【符号の説明】
【００３６】
１          梁型枠
２          梁底型枠
２Ａ        梁側型枠
３          パイプサポート
４          壁型枠
Ａ          梁底型枠受け具
Ａ１        受け具本体
Ａ２        蝶番
Ａ３        引っ掛け部
Ａ１１      水平材
Ａ１２      垂直材
Ａ１３      斜材
Ｃ１        コンクリート壁
Ｃ２        コンクリート梁
Ｆ          床面
【図１】
0003182059.tif 000003
【図２】
0003182059.tif 000004
【図３】
0003182059.tif 000005